【手続補正書】
【提出日】平成30年4月4日(2018.4.4)
【手続補正１】
【補正対象書類名】特許請求の範囲
【補正対象項目名】全文
【補正方法】変更
【補正の内容】
【特許請求の範囲】
【請求項１】
２つ以上の通信端末の間で通信を開始する際に用いられる宛先候補を管理する管理システムであって、
第１の識別情報に対応付けられた通信端末において指定される宛先候補であって、前記第１の識別情報とは異なる第２の識別情報を含む前記宛先候補を識別するための宛先候補識別情報を、前記第１の識別情報と関連付けて記憶し、
前記第２の識別情報に対応付けられた通信端末において指定される宛先候補であって、前記第１の識別情報を含む前記宛先候補を識別するための宛先候補識別情報を、前記第２の識別情報と関連付けて記憶する記憶手段と、
前記第１の識別情報に対応付けられた通信端末から受け付けた前記第２の識別情報に対応する宛先候補を削除する旨の削除要求に基づき、前記第１の識別情報に関連付けられている宛先候補識別情報のうち、前記第２の識別情報に対応する宛先候補識別情報を削除する一方で、
前記削除要求のあった宛先候補に対応する前記第２の識別情報に関連付けられている宛先候補識別情報のうち、前記第１の識別情報に対応する宛先候補識別情報を削除する削除手段と、
を有することを特徴とする管理システム。
【請求項２】
請求項１に記載の管理システムであって、
前記削除手段によって削除された前記第２の識別情報に対応する宛先候補識別情報によって示されている宛先候補に対して、前記削除が完了した旨を示す削除完了通知を送信する送信手段を有することを特徴とする管理システム。
【請求項３】
前記送信手段は、前記削除要求の要求元である前記第１の識別情報に対応付けられた通信端末に対して、前記削除完了通知を送信することを特徴とする請求項２に記載の管理システム。
【請求項４】
前記記憶手段は、前記２つ以上の通信端末の何れかにおいて指定される宛先候補を識別するための宛先候補識別情報を、前記第１及び前記第２の識別情報を含む識別情報のそれぞれに関連付けて記憶し、
前記削除要求が前記第１の識別情報を含む複数の特定の識別情報に関連付けられている特定の宛先候補を削除する旨を示す場合には、前記削除手段は、当該複数の特定の識別情報に関連付けられている各特定の宛先候補識別情報を削除することを特徴とする請求項１乃至３のいずれか一項に記載の管理システム。
【請求項５】
前記記憶手段は、前記２つ以上の通信端末の何れかにおいて指定される宛先候補を識別するための宛先候補識別情報を、前記第１及び前記第２の識別情報を含む識別情報のそれぞれに関連付けて記憶し、
前記削除要求が全ての識別情報に関連付けられている特定の宛先候補を削除する旨を示す場合には、前記削除手段は、前記第１及び前記第２の識別情報を含む当該全ての識別情報に関連付けられている各特定の宛先候補識別情報を削除することを特徴とする請求項１乃至３のいずれか一項に記載の管理システム。
【請求項６】
前記削除要求が前記第１の識別情報に関連付けられている宛先候補のうちの複数の特定の宛先候補を削除する旨を示す場合には、前記削除手段は、当該第１の識別情報に関連付けられている前記複数の特定の宛先候補識別情報を削除することを特徴とする請求項１乃至５のいずれか一項に記載の管理システム。
【請求項７】
前記削除要求が前記第１の識別情報に関連付けられている宛先候補のうちの全ての宛先候補を削除する旨を示す場合には、前記削除手段は、当該第１の識別情報に関連付けられている前記全ての宛先候補識別情報を削除することを特徴とする請求項１乃至５のいずれか一項に記載の管理システム。
【請求項８】
前記削除手段は、一括で前記宛先候補識別情報を削除することを特徴とする請求項４乃至７のいずれか一項に記載の管理システム。
【請求項９】
前記第１の識別情報に関連付けられた前記第２の識別情報に対応する宛先候補識別情報と前記第２の識別情報に関連付けられた前記第１の識別情報に対応する宛先候補識別情報は、前記第１の識別情報に対応付けられた通信端末から受け付けた追加の要求に対して承認する旨を前記第２の識別情報に対応付けられた通信端末から受信することによって相互に登録した情報であることを特徴とする請求項１乃至８のいずれか一項に記載の管理システム。
【請求項１０】
２つ以上の通信端末の間で通信を開始する際に用いられる宛先候補を管理する管理システムが実行する管理方法であって、
前記管理システムは、前記第１の識別情報に対応付けられた通信端末において指定される宛先候補であって、前記第１の識別情報とは異なる前記第２の識別情報を含む前記宛先候補を識別するための宛先候補識別情報を、前記第１の識別情報と関連付けて記憶し、
前記第２の識別情報に対応付けられた通信端末において指定される宛先候補であって、前記第１の識別情報を含む前記宛先候補を識別するための宛先候補識別情報を、前記第２の識別情報と関連付けて記憶する記憶手段を有しており、
前記管理システムは、
前記第１の識別情報に対応付けられた通信端末から受け付けた前記第２の識別情報に対応する宛先候補を削除する旨の削除要求に基づき、前記第１の識別情報に関連付けられている宛先候補識別情報のうち、前記第２の識別情報に対応する宛先候補識別情報を削除する一方で、
前記削除要求のあった宛先候補に対応する前記第２の識別情報に関連付けられている宛先候補識別情報のうち、前記第１の識別情報に対応する宛先候補識別情報を削除する削除ステップと、
を実行することを特徴とする管理方法。
【請求項１１】
コンピュータに、請求項１０に記載の方法を実行させるためのプログラム。
【請求項１２】
２つ以上の通信端末と、該２つ以上の通信端末の間で通信を開始する際に用いられる宛先候補を登録する管理システムからなるシステムであって、
前記通信端末は、
前記宛先候補を表示させる表示制御手段と、
前記宛先候補を削除する旨の削除要求を前記管理システムへ送信する第２の送信手段と、を有し、
前記管理システムは、
第１の識別情報に対応付けられた通信端末において指定される宛先候補であって、前記第１の識別情報とは異なる第２の識別情報を含む前記宛先候補を識別するための宛先候補識別情報を前記第１の識別情報と関連付けて記憶手段に登録し、
前記第２の識別情報に対応付けられた通信端末において指定される宛先候補であって、前記第１の識別情報を含む前記宛先候補を識別するための宛先候補識別情報を前記第２の識別情報と関連付けて前記記憶手段に登録する管理手段と、
前記第１の識別情報に対応付けられた通信端末から受け付けた前記第２の識別情報に対応する宛先候補を削除する旨の削除要求に基づき、前記第１の識別情報に関連付けられている宛先候補識別情報のうち、前記第２の識別情報に対応する宛先候補識別情報を削除する一方で、
前記削除要求のあった宛先候補に対応する前記第２の識別情報に関連付けられている宛先候補識別情報のうち、前記第１の識別情報に対応する宛先候補識別情報を削除する削除手段と、
を有することを特徴とするシステム。
【請求項１３】
２つ以上の通信端末と、該２つ以上の通信端末の間で通信を開始する際に用いられる宛先候補を登録する管理システムからなるシステムが実行する方法であって、
前記通信端末において、
前記宛先候補を表示させる表示制御ステップと、
前記宛先候補を削除する旨の削除要求を前記管理システムへ送信する送信ステップと、を実行し、
前記管理システムにおいて、
第１の識別情報に対応付けられた通信端末において指定される宛先候補であって、前記第１の識別情報とは異なる第２の識別情報を含む前記宛先候補を識別するための宛先候補識別情報を前記第１の識別情報と関連付けて記憶手段に登録し、
前記第２の識別情報に対応付けられた通信端末において指定される宛先候補であって、前記第１の識別情報を含む前記宛先候補を識別するための宛先候補識別情報を前記第２の識別情報と関連付けて前記記憶手段に登録する管理ステップと、
前記第１の識別情報に対応付けられた通信端末から受け付けた前記第２の識別情報に対応する宛先候補を削除する旨の削除要求に基づき、前記第１の識別情報に関連付けられている宛先候補識別情報のうち、前記第２の識別情報に対応する宛先候補識別情報を削除する一方で、
前記削除要求のあった宛先候補に対応する前記第２の識別情報に関連付けられている宛先候補識別情報のうち、前記第１の識別情報に対応する宛先候補識別情報を削除する削除ステップと、
を実行することを特徴とする方法。
【手続補正２】
【補正対象書類名】明細書
【補正対象項目名】発明の名称
【補正方法】変更
【補正の内容】
【発明の名称】管理システム、管理方法、プログラム、システム及び方法
【手続補正３】
【補正対象書類名】明細書
【補正対象項目名】０００５
【補正方法】変更
【補正の内容】
【０００５】
しかしながら、特許文献２に記載の発明では、通信端末が自ら宛先リストを管理しておらず、この通信端末に通信ネットワークを介して接続された管理サーバ（伝送管理システム）が宛先リストを管理している。このような場合に、特許文献２には、宛先リストから宛先候補を削除する方法が開示されていない。
【手続補正４】
【補正対象書類名】明細書
【補正対象項目名】０００６
【補正方法】変更
【補正の内容】
【０００６】
請求項１に係る発明は、２つ以上の通信端末の間で通信を開始する際に用いられる宛先候補を管理する管理システムであって、第１の識別情報に対応付けられた通信端末において指定される宛先候補であって、前記第１の識別情報とは異なる第２の識別情報を含む前記宛先候補を識別するための宛先候補識別情報を、前記第１の識別情報と関連付けて記憶し、前記第２の識別情報に対応付けられた通信端末において指定される宛先候補であって、前記第１の識別情報を含む前記宛先候補を識別するための宛先候補識別情報を、前記第２の識別情報と関連付けて記憶する記憶手段と、前記第１の識別情報に対応付けられた通信端末から受け付けた前記第２の識別情報に対応する宛先候補を削除する旨の削除要求に基づき、前記第１の識別情報に関連付けられている宛先候補識別情報のうち、前記第２の識別情報に対応する宛先候補識別情報を削除する一方で、前記削除要求のあった宛先候補に対応する前記第２の識別情報に関連付けられている宛先候補識別情報のうち、前記第１の識別情報に対応する宛先候補識別情報を削除する削除手段と、を有することを特徴とする管理システムである。
また、請求項１２に係る発明は、２つ以上の通信端末と、該２つ以上の通信端末の間で通信を開始する際に用いられる宛先候補を登録する管理システムからなるシステムであって、前記通信端末は、前記宛先候補を表示させる表示制御手段と、前記宛先候補を削除する旨の削除要求を前記管理システムへ送信する第２の送信手段と、を有し、前記管理システムは、第１の識別情報に対応付けられた通信端末において指定される宛先候補であって、前記第１の識別情報とは異なる第２の識別情報を含む前記宛先候補を識別するための宛先候補識別情報を前記第１の識別情報と関連付けて記憶手段に登録し、前記第２の識別情報に対応付けられた通信端末において指定される宛先候補であって、前記第１の識別情報を含む前記宛先候補を識別するための宛先候補識別情報を前記第２の識別情報と関連付けて前記記憶手段に登録する管理手段と、前記第１の識別情報に対応付けられた通信端末から受け付けた前記第２の識別情報に対応する宛先候補を削除する旨の削除要求に基づき、前記第１の識別情報に関連付けられている宛先候補識別情報のうち、前記第２の識別情報に対応する宛先候補識別情報を削除する一方で、前記削除要求のあった宛先候補に対応する前記第２の識別情報に関連付けられている宛先候補識別情報のうち、前記第１の識別情報に対応する宛先候補識別情報を削除する削除手段と、を有することを特徴とするシステムである。
【手続補正５】
【補正対象書類名】明細書
【補正対象項目名】０００７
【補正方法】変更
【補正の内容】
【０００７】
以上説明したように本発明によれば、管理システム側で宛先リストに相当する宛先候補識別情報を管理している場合であっても、この宛先候補識別情報から所望の宛先候補を削除することができるという効果を奏する。
【手続補正６】
【補正対象書類名】明細書
【補正対象項目名】０１２８
【補正方法】変更
【補正の内容】
【０１２８】
１  伝送システム（システムの一例）
１０  伝送端末（通信端末の一例）
２０  管理者端末
４０  伝送管理システム（管理システムの一例）
５０  端末管理システム
５１  第２通信部（送信手段の一例）
５４  記憶・読出処理部
５７ 宛先リスト管理部（管理手段の一例）
５９  判断部
６０  記憶部（記憶手段の一例）
６１  端末認証管理ＤＢ
６２  端末管理ＤＢ
６３  宛先リスト管理ＤＢ（記憶手段の一例）
６４  要求管理ＤＢ
６５  管理者ＤＢ
８０  宛先登録システム
８１  第１通信部
８４  記憶・読出処理部（削除手段の一例）
８７  判断部
１１１ ネットワークＩ／Ｆ（第２の送信手段の一例）
１２０ ディスプレイ（表示制御手段の一例）